(57)【要約】【課題】調整とロックを可能にするセレクタを備えた窓ステーを提供する。【解決手段】窓ステーであって：窓枠に取り付けるための固定枠板；上記固定枠板に取り付けるための摺動式枠板；調整部材であって、上記調整部材の回転によって、上記固定枠板に対する上記摺動式枠板の運動が引き起こされるよう構成された、調整部材；及び上記調整部材が回転できる調整モードと、上記調整部材が所定の位置にロックされるロックモードとを有する、セレクタを備える、窓ステー。窓ステーであって：窓枠に取り付けるための固定枠板；上記固定枠板に取り付けるための摺動式枠板；上記摺動式枠板と係合するねじ；上記ねじを受承するよう構成されたねじチャンバを備え、上記ねじを上記ねじチャンバ内で回転させることにより、上記固定枠板に対する上記摺動式枠板の運動が引き起こされる、窓ステー。【選択図】図２
2020070716.tif 000002
【特許請求の範囲】
【請求項１】
窓ステーであって：
窓枠に取り付けるための固定枠板；
前記固定枠板に取り付けるための摺動式枠板；
調整部材であって、前記調整部材の回転によって、前記固定枠板に対する前記摺動式枠板の運動が引き起こされるよう構成された、調整部材；及び
前記調整部材が回転できる調整モードと、前記調整部材が所定の位置にロックされるロックモードとを有する、セレクタ
を備える、窓ステー。
【請求項２】
前記セレクタは、前記ロックモードに向かって付勢される、請求項１に記載の窓ステー。
【請求項３】
前記セレクタは、前記セレクタを前記ロックモードに向かって付勢するためのばねを備える、請求項２に記載の窓ステー。
【請求項４】
前記セレクタはピンを備える、請求項１〜３のいずれか１項に記載の窓ステー。
【請求項５】
前記ピンは、前記摺動式枠板のチャネル内を移動する、請求項４に記載の窓ステー。
【請求項６】
前記チャネルはＬ字型である、請求項５に記載の窓ステー。
【請求項７】
前記ピンは、前記ピンを前記チャネルの横方向部分内に配置することによって、前記調整モードに保持できる、請求項６に記載の窓ステー。
【請求項８】
前記セレクタを前記ロックモード又は前記調整モードに向かって付勢するよう構成されたデテントを更に備える、請求項１〜５のいずれか１項に記載の窓ステー。
【請求項９】
前記ロックモードでは、前記ピンは、前記調整部材の凹部内にある、請求項４〜８のいずれか１項に記載の窓ステー。
【請求項１０】
前記調整部材は、前記調整部材の外周の周りに複数の前記凹部を有する、請求項９に記載の窓ステー。
【請求項１１】
前記調整部材が第１の調整位置と第２の調整位置との間で回転することにより、前記摺動式枠板は、前記固定枠板に対して約３ｍｍだけ移動する、請求項１〜１０のいずれか１項に記載の窓ステー。
【請求項１２】
前記第１の調整位置は、前記調整部材の第１の凹部に対応し、前記第２の調整位置は、前記調整部材の第２の凹部に対応し、前記第１の凹部及び前記第２の凹部は隣接する、請求項１１に記載の窓ステー。
【請求項１３】
前記セレクタは、前記摺動式枠板のセレクタアパーチャ内にあるように構成されたネックを備え、
前記アパーチャは、前記ネックと当接することによって、前記セレクタの回転を防止するよう構成される、請求項１〜３のいずれか１項に記載の窓ステー。
【請求項１４】
前記調整モードでは、前記ネックは、前記摺動式枠板の前記セレクタアパーチャ内になく、
前記ロックモードでは、前記ネックは、前記摺動式枠板の前記セレクタアパーチャ内にある、請求項１３に記載の窓ステー。
【請求項１５】
前記セレクタは前記調整部材に連結される、請求項１３又は１４に記載の窓ステー。
【請求項１６】
前記セレクタは、前記セレクタを前記調整部材の中央アパーチャ内に配置することによって、前記調整部材に連結される、請求項１５に記載の窓ステー。
【請求項１７】
前記調整部材は、前記調整部材の回転軸からオフセットされたポストを備える、請求項１〜１６のいずれか１項に記載の窓ステー。
【請求項１８】
前記固定枠板は、前記固定枠板の一部を横断して横方向に延在するチャネルを備え、
前記チャネルは、前記ポストを受承するよう構成される、請求項１７に記載の窓ステー。
【請求項１９】
前記調整部材は、前記調整部材を回転させた場合に前記ポストが前記固定枠板の前記チャネル内を横方向に移動するように構成される、請求項１８に記載の窓ステー。
【請求項２０】
前記ポストが、前記固定枠板の前記チャネル内を横方向に移動することにより、前記摺動式枠板は、前記固定枠板に対して長手方向に移動する、請求項１８又は１９に記載の窓ステー。
【請求項２１】
前記調整部材はねじ頭部を備える、請求項１〜２０のいずれか１項に記載の窓ステー。
【請求項２２】
前記固定枠板は、前記摺動式枠板のチャネル内に配置されるよう構成されたリップを備える、請求項１〜２１のいずれか１項に記載の窓ステー。
【請求項２３】
前記摺動式枠板は、前記固定枠板のチャネル内に配置されるよう構成されたリップを備える、請求項１〜２１のいずれか１項に記載の窓ステー。
【請求項２４】
前記摺動式枠板は、前記窓ステーのショートアーム及び／又はロングアームに取り付けられるよう構成される、請求項１〜２３のいずれか１項に記載の窓ステー。
【請求項２５】
前記固定枠板と前記摺動式枠板との間に位置する支持表面を更に備える、請求項１〜２４のいずれか１項に記載の窓ステー。
【請求項２６】
前記支持表面は、前記窓ステーの前記ショートアームに隣接して配置されるよう構成される、請求項２５に記載の窓ステー。
【請求項２７】
前記支持表面は、ポリテトラフルオロエチレンで形成される、請求項２５又は２６に記載の窓ステー。
【請求項２８】
窓ステーであって：
窓枠に取り付けるための固定枠板；
前記固定枠板に取り付けるための摺動式枠板；
前記摺動式枠板と係合するねじ；
前記ねじを受承するよう構成されたねじチャンバ
を備え、
前記ねじを前記ねじチャンバ内で回転させることにより、前記固定枠板に対する前記摺動式枠板の運動が引き起こされる、窓ステー。
【請求項２９】
前記ねじチャンバは前記固定枠板に設置される、請求項２８に記載の窓ステー。
【請求項３０】
前記ねじチャンバは、１つ以上のフィンによって、前記固定枠板に設置される、請求項２９に記載の窓ステー。
【請求項３１】
前記ねじは前記摺動式枠板に閉じ込められる、請求項２８〜３０のいずれか１項に記載の窓ステー。
【請求項３２】
前記固定枠板のチャネルは、前記摺動式枠板のリップを受承するよう構成される、請求項２８〜３１のいずれか１項に記載の窓ステー。
【請求項３３】
前記リップは、前記固定枠板の前記チャネルと、摺動可能に係合するよう構成される、請求項３２に記載の窓ステー。
【発明の詳細な説明】
【技術分野】
【０００１】
本発明は、窓ステーに関する。
【背景技術】
【０００２】
窓は窓サッシを有してよく、上記窓サッシは、上記窓を開放できるようにするために、窓枠に対して移動する。
【０００３】
場合によっては、上記窓サッシは、１つ以上の窓ステーによって支持される。窓ステーは、上記窓枠に取り付けるための枠板、上記窓サッシに取り付けるためのサッシ板、及び上記枠板と上記サッシ板とを連結する１つ以上のアームを有してよい。上記アームの移動により、上記窓サッシは上記窓枠に対して移動できる。
【０００４】
時折、上記窓枠に対する上記窓サッシの位置を調整する必要がある場合がある。例えば、上記窓の上記サッシが時間と共にたわむ場合がある。これにより、望ましくないことに上記窓サッシが上記窓枠の外側面に当接する場合があるため、上記窓の完全な閉鎖が妨げられる場合がある。
【発明の概要】
【発明が解決しようとする課題】
【０００５】
この調整を達成するには、上記窓ステーの再配置が必要となり得るが、これは不便なものであり得、またこれによってきめ細かな調整を達成するのは困難であり得る。
【課題を解決するための手段】
【０００６】
第１の例示的実施形態では、窓ステーが提供され、上記窓ステーは：窓枠に取り付けるための固定枠板；上記固定枠板に取り付けるための摺動式枠板；調整部材であって、上記調整部材の回転によって、上記固定枠板に対する上記摺動式枠板の運動が引き起こされるよう構成された、調整部材；及び上記調整部材が回転できる調整モードと、上記調整部材が所定の位置にロックされるロックモードとを有するセレクタを備える。
【０００７】
第２の例示的実施形態では、窓ステーが提供され、上記窓ステーは：窓枠に取り付けるための固定枠板；上記固定枠板に取り付けるための摺動式枠板；上記摺動式枠板と係合するねじ；上記ねじを受承するよう構成されたねじチャンバを備え、上記ねじを上記ねじチャンバ内で回転させることにより、上記固定枠板に対する上記摺動式枠板の運動が引き起こされる。
【０００８】
本発明を、本発明の様々な好ましい実施形態を示す図面を参照して、例示的に説明する。しかしながら、これらの図面は例示のみを目的として提供されており、本発明は、これらの図面及び対応する説明の特定の細部に限定されない。
【図面の簡単な説明】
【０００９】
【図１】図１は、第１の実施形態による、完全閉鎖位置の窓ステーを示す。
【図２】図２は、完全開放位置の、第１の実施形態の窓ステーを示す。
【図３】図３は、線Ｂを通る、第１の実施形態の窓ステーの断面図を示す。
【図４Ａ】図４Ａは、第１の状態における第１の実施形態の窓ステーを示す。
【図４Ｂ】図４Ｂは、第１の状態における第１の実施形態の窓ステーの部分透視図を示す。
【図５Ａ】図５Ａは、第２の状態における第１の実施形態の窓ステーを示す。
【図５Ｂ】図５Ｂは、第２の状態における第１の実施形態の窓ステーの部分透視図を示す。
【図６Ａ】図６Ａは、第３の状態における第１の実施形態の窓ステーを示す。
【図６Ｂ】図６Ｂは、第３の状態における第１の実施形態の窓ステーの部分透視図を示す。
【図７Ａ】図７Ａは、第４の状態における第１の実施形態の窓ステーを示す。
【図７Ｂ】図７Ｂは、第４の状態における第１の実施形態の窓ステーの部分透視図を示す。
【図８Ａ】図８Ａは、第５の状態における第１の実施形態の窓ステーを示す。
【図８Ｂ】図８Ｂは、第５の状態における第１の実施形態の窓ステーの部分透視図を示す。
【図９Ａ】図９Ａは、第６の状態における第１の実施形態の窓ステーを示す。
【図９Ｂ】図９Ｂは、第６の状態における第１の実施形態の窓ステーの部分透視図を示す。
【図１０】図１０は、第１の状態における第２の実施形態による窓ステーの部分透視図を示す。
【図１１】図１１は、第２の状態における第２の実施形態による窓ステーの部分透視図を示す。
【図１２】図１２は、第３の状態における第２の実施形態による窓ステーの部分透視図を示す。
【図１３】図１３は、第４の状態における第２の実施形態による窓ステーの部分透視図を示す。
【図１４】図１４は、第３の実施形態による窓ステーを示す。
【図１５】図１５は、セレクタがロックモードである、第３の実施形態の窓ステーの断面図を示す。
【図１６】図１６は、セレクタが調整モードである、第３の実施形態の窓ステーの断面図を示す。
【図１７】図１７は、第１の状態における第３の実施形態の窓ステーの部分透視図を示す。
【図１８】図１８は、第２の状態における第３の実施形態の窓ステーの部分透視図を示す。
【図１９】図１９は、第３の状態における第３の実施形態の窓ステーの部分透視図を示す。
【図２０】図２０は、第４の実施形態による窓ステーの断面図を示す。
【図２１】図２１は、第４の実施形態の窓ステーの端面図を示す。
【図２２】図２２は、第１の状態における第４の実施形態の窓ステーの部分透視図を示す。
【図２３】図２３は、第２の状態における第４の実施形態の窓ステーの部分透視図を示す。
【図２４】図２４は、第３の状態における第４の実施形態の窓ステーの部分透視図を示す。
【発明を実施するための形態】
【００１０】
いくつかの実施形態では、窓ステーは、窓枠に取り付けるための固定枠板、及び上記固定枠板に取り付けるための摺動式枠板を有する。調整部材を回転させることにより、上記摺動式枠板を上記固定枠板に対して移動させることができる。上記窓ステーは、上記調整部材が回転できる調整モードと、上記調整部材が所定の位置にロックされるロックモードとを有するセレクタを有することができる。これにより、上記窓枠に対する窓サッシの位置を、窓ステーを取り外すことなく調整でき、その後上記セレクタを用いてこの調整を所定の位置にロックできる、窓ステーが提供される。
【００１１】
第１の実施形態
図１、２は、第１の実施形態による窓ステーの例を示す。
【００１２】
上記窓ステーは、例えば固定孔１０２を通る締結具（ねじ又はリベット等）を用いて窓枠に取り付けられる固定枠板１００を有する。固定孔１０２の周りには、皿穴１０４、１０６を設けてよい。摺動式枠板２００を上記固定枠板に接続する。固定枠板１００及び摺動式枠板２００は、少なくとも長手方向において（即ち軸Ａに対して平行な方向において）、互いに対して移動可能である。摺動式枠板２００のチャネル２０２を、固定孔１０２へのアクセスのために設けてよい。
【００１３】
場合によっては、固定枠板１００及び／又は摺動式枠板２００は停止機構を有する。これは、固定枠板１００と摺動式枠板２００との間の相対移動を制限するために使用できる。
【００１４】
サッシ板３００は、窓サッシに取り付けられる。サッシ板３００は、ショートアーム４００及びロングアーム５００によって摺動式枠板２００に接続される。ショートアーム４００は、取付具４０２によって摺動式枠板２００に、そして取付具４０４によってサッシ板３００に固定される。取付具４０２及び取付具４０４は枢動点であり、即ちショートアーム４００は、取付具４０２及び取付具４０４の周りで回転することによって、それぞれ摺動式枠板２００及びサッシ板３００に対して枢動する。ロングアーム５００は、取付具５０２によって摺動式枠板２００に、そして取付具５０４によってサッシ板３００に固定される。取付具５０２及び取付具５０４は枢動点であり、即ちロングアーム５００は、取付具５０２及び取付具５０４の周りで回転することによって、それぞれ摺動式枠板２００及びサッシ板３００に対して枢動する。
【００１５】
従ってサッシ板３００は、摺動式枠板２００及び固定枠板１００に対して移動できる。これにより、上記窓サッシを上記窓枠に対して移動させることができる。
【００１６】
図１は、完全閉鎖位置の上記窓ステーを示し、この完全閉鎖位置では、サッシ板３００は摺動式枠板２００及び固定枠板１００と整列される。これは、窓が閉鎖された状態に対応する。図２は、完全開放位置の上記窓ステーを示し、この完全開放位置では、サッシ板３００は摺動式枠板２００及び固定枠板１００に対して垂直である。これは、窓が完全に開放された状態に対応する。完全閉鎖位置と完全開放位置との間の複数の中間位置も可能である。
【００１７】
調整部材６００は、摺動式枠板２００の外側から（即ち摺動式枠板２００の、固定枠板１００とは反対を向いた側部から）、調整部材アパーチャ２０４を通してアクセス可能である。調整部材６００を回転させることにより、摺動式枠板２００は、固定枠板１００に対して長手方向に移動する。
【００１８】
セレクタ６５０は、摺動式枠板２００の外側からアクセス可能である。セレクタ６５０は、調整部材６００が所定の位置にロックされ、従って回転が妨げられるロックモードと、調整部材６００が所定の位置にロックされない調整モードとを有する。
【００１９】
使用時、ユーザは、セレクタ６５０を調整モードへと動かすことができる。次にユーザは調整部材６００を回転させて、固定枠板１００に対する摺動式枠板２００の位置を調整できる。適切なレベルの調節を実施した後、セレクタ６５０をロックモードに移動させて、固定枠板１００に対する摺動式枠板２００の位置を固定できる。
【００２０】
これにより、固定枠板１００（従って窓枠）に対するサッシ板３００（従って窓サッシ）の位置を調整できる。これは、窓が完全閉鎖位置にあるときに、窓サッシが窓枠とより良好に係合することを意味し得る。
【００２１】
誤解を避けるために、この文脈における「窓サッシに対する窓枠の位置を調整すること」は、窓を開放することによって（即ち窓ステーを閉鎖位置と開放位置との間で移動させることによって）上記位置を調整することを意味しないことに留意されたい。
【００２２】
図３は、線Ｂを通る上記窓ステーの断面図を示す。
【００２３】
摺動式枠板２００は、チャネル２１８を形成するロールエッジ２１６を有してよい。固定枠板１００は、チャネル２１８に嵌合するリップ１１２を有してよい。これにより、固定枠板１００と摺動式枠板２００とを連結できる。更に、これにより、固定枠板１００と摺動式枠板２００との間の横方向の移動の低減が支援される。
【００２４】
代替実施形態では、この連結を反転させてよい。例えば、摺動式枠板２００が、固定枠板のロールエッジによって形成されたチャネルに嵌合するリップを有してよい。
【００２５】
支持表面１１４は、固定枠板１００のインデント１１６内に配置されていてよく、固定枠板１００と摺動式枠板２００との間に挟まれていてよい。支持表面１１４は、窓ステーの部品に対する補強を提供できる。例えば、支持表面１１４を窓ステーのショートアーム４００に隣接して配置することにより、窓ステーが使用時に歪むリスクを低減できる。支持表面１１４は、ポリテトラフルオロエチレン等の耐摩耗性材料で形成してよい。
【００２６】
調整部材
調整部材６００は頭部６０２を有し、これは、組み立てたときに、摺動式枠板２００の外側面と概ね面一となることができる。上記頭部は、ねじ頭部（例えばフィリップス型ねじ頭部）を形成するための凹部又は突出部を有することができる。従って調整部材６００は、例えばドライバー等の好適な工具を用いて回転させることができる。ドライバーの先端をねじ頭部に挿入し、ドライバーを回転させることにより、調整部材６００の回転を実現する。
【００２７】
頭部６０２の外周の少なくとも一部の周りには歯６０４が分布し、これらは、頭部６０２の外周全体の周りに分布していてもよい。歯６０４は等間隔に分布していてよい。これらは、頭部６０２が摺動式枠板２００の調整部材アパーチャ２０４に係合しているときに、歯６０４が調整部材アパーチャ２０４を通過しないよう、頭部６０２の下部のみに存在してよい。歯６０４は、摺動式枠板２００の底面と当接してよく、又は離間していてよい。隣接する歯６０４のペアは、凹部６０６を形成する。凹部６０６は、セレクタ６５０の一部を受承するためのサイズ及び形状を有してよい。
【００２８】
歯６０４の端部は、セレクタ６５０が凹部６０６と整列されていない場合であっても、セレクタ６５０の一部を凹部６０６内へと案内するよう成形されていてよい。
【００２９】
上記調整部材は、固定枠板１００と摺動式枠板２００との間に閉じ込められていてよい。例えば、歯６０４は、調整部材６００が調整部材アパーチャ２０４を介して取り外されるのを防止でき、また調整部材６００の寸法は、固定枠板１００と摺動式枠板２００との間から取り外されない程度に大きくすることができ、これにより、固定枠板１００と摺動式枠板２００とが連結される。
【００３０】
ポスト６０８は、頭部６０２の底部から突出しており、これは頭部６０２と一体として形成されていてよい。ポスト６０８は、調整部材６００の回転軸からオフセットされている。ポスト６０８は、固定枠板１００のスロット１０８に嵌合する。スロット１０８は、固定枠板１００を横方向に横断するよう（即ち軸Ａに対して垂直に）配向される。ポスト６０８は、スロット１０８のカプセル状断面の円形端部に一致するような、円形断面を有してよい。ポスト６０８は、スロット１０８の幅（即ち軸Ａに沿った距離）と同一の、又はこれよりごくわずかに小さい、直径を有してよく、これにより、スロット１０８内でのポスト６０８の長手方向運動が最小化される。
【００３１】
使用時、調整部材６００が回転するに従って、ポスト６０８は、スロット１０８を横方向に横断するように移動する。これにより、調整部材６００と、これに伴って摺動式枠板２００とを、固定枠板１００に対して長手方向に移動させる。
【００３２】
セレクタ
セレクタ６５０はピン６５２を有し、これは固定枠板１００のチャネル１１０内において、セレクタ６５０のロックモードに対応するロック位置と、セレクタ６５０の調整モードに対応する調整位置との間で移動可能である。
【００３３】
ロック位置では、ピン６５２は、調整部材６００の比較的近傍にある。使用時、ピン６５２の端部６５４は凹部６０６内で静止でき、凹部６０６のいずれの側の１つ以上の歯６０４に当接してよい。これにより、調整部材６００の回転を防止できる。
【００３４】
調整位置では、ピン６５２の端部６５４は凹部６０６内になく、従って調整部材６００の回転を防止しない。
【００３５】
ピン６５２は、ロック位置へと付勢される。これは、ピン６５２の一部分６５８の周りに位置するばね６５６によって実施できる。ばね６５６は、ピン６５２の端部６５４とは反対側のチャネル１１０の端部に押し付けられる。
【００３６】
セレクタ６５０はハンドル６６０を有し、これはピン６５２を移動させるために使用でき、またピン６５２と一体であってよい。ハンドル６６０は、摺動式枠板２００内のＬ字型チャネル２０６によって拘束される。チャネル２０６の長手方向部分（ｓｐｉｎｅ）２０８は、ばね６５６の付勢方向に配設され、また上記チャネルの横方向部分（ｌｉｍｂ）２１０は、長手方向部分２０８に対して垂直に続いている。ピン６５２がロック位置にあるとき、ハンドル６６０は、調整部材６００に比較的近接した、長手方向部分２０８の端部２１２に当接するか、又は少なくともその付近に位置する。ピン６５２が調整位置にあるとき、ハンドル６６０は、横方向部分２１０内へと移動される。横方向部分２１０の壁２１４は、ばね６５６の付勢に耐えて、ピン６５２を調整位置に保持する。ロック位置と調整位置との間を移動するピン６５２は、長手方向部分２０８に沿った長手方向移動と、ハンドル６６０を横方向部分２１０内へと移動させるための回転とを伴うことができる。
【００３７】
セレクタ６５０は、ハウジング６６２内に配設してよい。ハウジング６６２は、セレクタ６５０の構成部品を窓ステーに単一のアセンブリとして固定できることを保証できる。ハウジング６６２は更に、例えばピン６５２を調整部材６００の凹部６０６と整列させることによって、セレクタ６５０の配置を支援できる。
【００３８】
使用
図４Ａ〜９Ｂは、使用に対応する様々な状態における窓ステーを示す。図４Ｂ、５Ｂ、６Ｂ、７Ｂ、８Ｂ、９Ｂは、それぞれ内部構成部品の動作を示す図４Ａ、５Ａ、６Ａ、７Ａ、８Ａ、９Ａの窓ステーの部分透視形態を示す。
【００３９】
図４Ａ、４Ｂは、第１の状態の窓ステーを示す。
【００４０】
セレクタ６５０はロックモードである。よってピン６５２の端部６５４は、調整部材６００の凹部６０６内に位置する。これにより、調整部材６００の回転が防止され、従って摺動式枠板２００が固定枠板１００に対して所定の位置にロックされる。
【００４１】
ポスト６０８は、スロット１０８の一方の端部に位置する。これは、ポスト６０８が、頭部６０２の中心軸と概ね一直線に配向されていること（上記中心軸が、スロット１０８の横方向延長に対して平行であること）に対応する。
【００４２】
図５Ａ、５Ｂは、第２の状態の窓ステーを示す。上記窓ステーは、ユーザの行為によって、第１の状態から第２の状態へと移動する。ユーザは、ハンドル６６０を作動させて、ピン６５２をロック位置から調整位置へと移動させる。これによりセレクタ６５０はロックモードから調整モードへと移動する。よって、ピン６５２の端部６５４はここで調整部材６００の凹部６０６から取り外され、従って調整部材６００の回転を防止する。
【００４３】
図６Ａ、６Ｂは、第３の状態の窓ステーを示す。上記窓ステーは、ユーザの行為によって、第２の状態から第３の状態へと移動する。ユーザは、例えばドライバーを用いて、調整部材６００を回転させる。この場合、調整部材６００は反時計回りに９０°回転されている。
【００４４】
この回転はポスト６０８を、スロット１０８を通して横方向に移動させ、ポスト６０８はここではスロット１０８の略中央にある。その結果、摺動式枠板２００は、固定枠板１００に対して第１の方向に、長手方向に移動されている。使用時、これにより、窓枠に対する窓サッシの位置が調整される。
【００４５】
図７Ａ、７Ｂは、第４の状態の窓ステーを示す。上記窓ステーは、ユーザの行為によって、第３の状態から第４の状態へと移動する。ユーザは、ハンドル６６０を作動させて、ピン６５２を調整位置からロック位置へと移動させる。これによりセレクタ６５０は調整モードからロックモードへと移動する。よって、ピン６５２の端部６５４はここでは、調整部材６００の凹部６０６に係合する。従って、調整部材６００は、ピン６５２と上記凹部のいずれの側の歯６０４との間の当接により、回転できなくなる。
【００４６】
このように、第１の状態から、第２の状態、第３の状態を経て第４の状態へと移動することにより、固定枠板１００及び摺動式枠板２００の（従って窓枠と窓サッシとの間の）相対位置を調整できる。
【００４７】
図８Ａ、８Ｂは、第５の状態の窓ステーを示す。上記窓ステーは、ユーザの行為によって、第２の状態から第５の状態へと移動する。ユーザは、例えばドライバーを用いて、調整部材６００を回転させる。この場合、調整部材６００は時計回りに９０°回転されている。従ってこれは、調整部材６００の回転方向によって図６Ａ、６Ｂと区別される。
【００４８】
この回転はポスト６０８を、スロット１０８を通して横方向に移動させ、ポスト６０８はここではスロット１０８の略中央にある。その結果、摺動式枠板２００は、固定枠板１００に対して第２の方向に、長手方向に移動されている。使用時、これにより、窓枠に対する窓サッシの位置が調整される。
【００４９】
図９Ａ、９Ｂは、第６の状態の窓ステーを示す。上記窓ステーは、ユーザの行為によって、第５の状態から第６の状態へと移動する。ユーザは、ハンドル６６０を作動させて、ピン６５２を調整位置からロック位置へと移動させる。これによりセレクタ６５０は調整モードからロックモードへと移動する。よって、ピン６５２の端部６５４はここでは、調整部材６００の凹部６０６に係合する。従って、調整部材６００は、ピン６５２と上記凹部のいずれの側の歯６０４との間の当接により、回転できなくなる。
【００５０】
第６の状態は、固定枠板１００及び摺動式枠板２００の相対位置によって、第４の状態と区別される。
【００５１】
このように、第１の状態から、第２の状態、第３の状態を経て第４の状態へと、あるいは第１の状態から、第２の状態、第５の状態を経て第６の状態へと移動することにより、固定枠板１００及び摺動式枠板２００の（従って窓枠と窓サッシとの間の）相対位置を調整できる。
【００５２】
調整部材６００の回転により、多数の凹部６０６が、チャネル１１０と整列した状態を通過し、従ってセレクタ６５０によって係合される可能性のある状態を通過する。２つの隣接する凹部間の移動は、摺動式枠板２００と固定枠板１００との間の、約３ｍｍ未満の相対長手方向移動をもたらし得る。これにより、摺動式枠板２００及び固定枠板１００の、従って窓枠と窓サッシとの間の、相対位置の微調整が可能となる。
【００５３】
第２の実施形態
図１０は、第２の実施形態による窓ステーを示す。
【００５４】
第２の実施形態は、固定枠板１１００及び摺動式枠板１２００を有する。これらは、第１の実施形態の固定枠板１００及び摺動式枠板２００と同一であってよい。
【００５５】
第２の実施形態と第１の実施形態との間の１つの差異は、調整部材１６００及びセレクタ１６５０の構成である。これらは、調整部材６００及びセレクタ６５０に代えて使用できる。その他の点では、第２の実施形態は第１の実施形態と同一であってよい。
【００５６】
調整部材
調整部材１６００は頭部１６０２を備え、これは摺動式枠板１２００の凹部１２１８内にある。頭部１６０２はボス１６１０を有してよく、これはねじ頭部１６１２（例えば六角レンチ用ねじ頭部）を形成する凹部を画定する。従って調整部材１６００は、六角レンチ等の好適な工具を用いて回転させることができる。ボス１６１０は、摺動式枠板１２００のアパーチャ１２０４に嵌合する。これにより、摺動式枠板１２００の外側面からねじ頭部１６１２にアクセスできる。
【００５７】
頭部１６０２の外周の少なくとも一部の周り、例えば上記外周の約半分の周りには、歯１６０４が分布する。歯１６０４はこの部分の周りに等間隔に分布していてよい。歯１６０４は、摺動式枠板１２００の底面と当接してよく、又は離間していてよい。隣接する歯１６０４のペアは、凹部１６０６を形成する。凹部１６０６は、セレクタ１６５０の一部を受承するためのサイズ及び形状を有してよい。
【００５８】
調整部材１６００は、固定枠板１１００と摺動式枠板１２００との間に閉じ込められていてよい。例えば、歯１６０４は、調整部材１６００がアパーチャ１２０４を介して取り外されるのを防止できる。
【００５９】
ポスト１６０８は、頭部１６０２の底部から突出しており、これは頭部１６０２と一体として形成されていてよい。ポスト１６０８は、調整部材１６００の回転軸からオフセットされている。ポスト１６０８は、固定枠板１１００のスロット１１０８に嵌合する。スロット１１０８は、固定枠板１１００を横方向に横断するよう（即ち軸Ｃに対して垂直に）配向される。ポスト１６０８は、スロット１１０８のカプセル状断面の円形端部に一致するような、円形断面を有してよい。ポスト１６０８は、スロット１１０８の幅（即ち軸Ｃに沿った距離）と同一の、又はこれよりごくわずかに小さい、直径を有してよく、これにより、スロット１１０８内でのポスト１６０８の長手方向運動が最小化される。
【００６０】
使用時、調整部材１６００が回転するに従って、ポスト１６０８は、スロット１１０８を横方向に横断するように移動する。これにより、調整部材１６００と、これに伴って摺動式枠板１２００とを、固定枠板１１００に対して横方向に移動させる。
【００６１】
セレクタ
セレクタ１６５０は、固定枠板１１００の凹部１１１０内において、セレクタ１６５０のロックモードに対応するロック位置と、セレクタ１６５０の調整モードに対応する調整位置との間で移動可能である。
【００６２】
ロック位置では、セレクタ１６５０のピン１６５２は、調整部材１６００の比較的近傍にある。使用時、ピン１６５２は凹部１６０６内で静止でき、凹部１６０６のいずれの側の１つ以上の歯１６０４に当接してよい。これにより、調整部材１６００の回転を防止できる。
【００６３】
調整位置では、ピン１６５２は凹部１６０６内になく、従って調整部材１６００の回転を防止しない。
【００６４】
セレクタ１６５０はハンドル１６６０を有し、これはピン１６５２を移動させるために使用でき、またピン１６５２と一体であってよい。ハンドル１６６０は、摺動式枠板１２００内の長手方向チャネル１２０６によって拘束される。セレクタ１６５０の底部の更なる突出部が、固定枠板１１００の更なる長手方向チャネル内にあってもよい。
【００６５】
セレクタ１６５０は、ロック位置又は調整位置に向かって付勢される。これは、セレクタ１６５０のいずれの側の２つのデテント１６６４の形態の付勢手段によって実施される。デテント１６６４は歯１６６６を有し、これはセレクタ１６５０上の膨張部１６６８と整列される。デテント１６６４は、各膨張部１６６８を、各歯１６６６を通過するように移動させて、これにより、セレクタ１６５０をロック位置と調整位置との間で移動させるために、所定の閾値を超える力をハンドル１６６０に印加することが必要となるように、構成できる。セレクタ１６５０がロック位置と調整位置との間の中途位置で停止した場合、デテント１６６４はセレクタ１６５０をこれらの位置のうちの一方に向かって付勢する。
【００６６】
第２の実施形態の構成は、ステーをロックモードと調整モードとの間で移動させることができる機構を提供する。
【００６７】
使用
図１０は、第１の状態の、第２の実施形態の窓ステーを示す。セレクタ１６５０はロック位置にある。これは、セレクタ１６５０のピン１６５２が、調整部材１６００の２つの歯１６０４の間の凹部１６０６内にあることを意味している。ピン１６５２は、調整部材１６００の回転を防止する。
【００６８】
図１１は、第２の状態の、第２の実施形態の窓ステーを示す。セレクタ１６５０は調整位置に移されている。これは、ユーザが、デテント１６６４の抵抗に打ち勝つために十分な力をハンドル１６６０に印加することによって実現される。これにより、セレクタ１６５０のピン１６５２が凹部１６０６から引き出される。ピン１６５２は調整部材１６００の回転を妨げない。
【００６９】
図１２は、第３の状態の、第２の実施形態の窓ステーを示す。窓ステーは、ユーザが好適な工具を用いて調整部材１６００を反時計回りに回転させることによって、第２の状態から第３の状態へと移動する。これにより、ポスト１６０８はスロット１１０８内で横方向に移動する。そしてこれにより、摺動式枠板１２００は固定枠板１１００に対して移動する。次にセレクタ１６５０は、ロック位置へと移されている。これは、ユーザが、デテント１６６４の抵抗に打ち勝つために十分な力をハンドル１６６０に印加することによって実現できる。これにより、セレクタ１６５０のピン１６５２が、調整部材１６００の凹部１６０６に挿入される。これは、調整部材１６００の更なる回転を妨げ、従って固定枠板１１００及び摺動式枠板１２００の相対位置をロックする。
【００７０】
図１３は、第４の状態の、第２の実施形態の窓ステーを示す。セレクタ１６５０は調整モードのままである。窓ステーは、ユーザが好適な工具を用いて調整部材１６００を時計回りに回転させることによって、第２の状態から第４の状態へと移動する。これにより、ポスト１６０８はスロット１１０８内で横方向に移動する。そしてこれにより、摺動式枠板１２００は固定枠板１１００に対して移動する。次にセレクタ１６５０は、ロック位置へと移されている。これは、ユーザが、デテント１６６４の抵抗に打ち勝つために十分な力をハンドル１６６０に印加することによって実現できる。これにより、セレクタ１６５０のピン１６５２が、調整部材１６００の凹部１６０６に挿入される。これは、調整部材１６００の更なる回転を妨げ、従って固定枠板１１００及び摺動式枠板１２００の相対位置をロックする。
【００７１】
これにより、摺動式枠板１２００及び固定枠板１１００の、従って窓枠と窓サッシとの間の、相対位置の微調整が可能となる。
【００７２】
第３の実施形態
図１４は、第３の実施形態による窓ステーの外面図を示す。図１５、１６は、軸Ｄを通る上記窓ステーの部分断面図を示す。
【００７３】
第３の実施形態は、固定枠板２１００及び摺動式枠板２２００を有する。これらは、第１の実施形態の固定枠板１００及び摺動式枠板２００、又は第２の実施形態の固定枠板１１００及び摺動式枠板１２００と同一であってよい。
【００７４】
第３の実施形態と第１及び第２の実施形態との間の１つの差異は、調整部材２６００及びセレクタ２６５０の構成である。これらは、第１の実施形態の調整部材６００及びセレクタ６５０、又は第２の実施形態の調整部材１６００及びセレクタ１６５０に代えて使用できる。その他の点では、第３の実施形態は第１又は第２の実施形態と同一であってよい。
【００７５】
固定枠板２１００と摺動式枠板２２００との間に、中間プレート２１５０を設けてよい。中間プレート２１５０は、摺動式枠板２２００に形成された凹部に嵌合してよい。
【００７６】
調整部材
調整部材２６００は頭部２６０２を備え、これは摺動式枠板２２００の凹部２２１８内にある。頭部２６０２の中央アパーチャ２６１４は、セレクタ２６５０を受承するように成形されている。調整部材２６００は、中間プレート２１５０と摺動式枠板２２００との間に閉じ込められていてよい。
【００７７】
ポスト２６０８は、頭部２６０２の底部から突出しており、これは頭部２６０２と一体として形成されていてよい。ポスト２６０８は、調整部材２６００の回転軸からオフセットされている。ポスト２６０８は、中間プレート２１５０のアパーチャ２１５２を通過し、固定枠板２１００のスロット２１０８に嵌合する。スロット２１０８は、固定枠板２１００を横方向に横断するよう（即ち軸Ｄに対して垂直に）配向される。ポスト２６０８は、スロット２１０８のカプセル状断面の円形端部に一致するような、円形断面を有してよい。ポスト２６０８は、スロット２１０８の幅（即ち軸Ｄに沿った距離）と同一の、又はこれよりごくわずかに小さい、直径を有してよく、これにより、スロット２１０８内でのポスト２６０８の長手方向運動が最小化される。
【００７８】
使用時、調整部材２６００が回転するに従って、ポスト２６０８は、スロット２１０８を横方向に横断するように移動する。これにより、調整部材２６００と、これに伴って摺動式枠板２２００及び中間プレート２１５０とを、固定枠板２１００に対して横方向に移動させる。
【００７９】
セレクタ
セレクタ２６５０は肩部２６５２を有し、これは、調整部材２６００の頭部２６０２の中央アパーチャ２６１４に嵌合するよう、成形及びサイズ設定される。この嵌合は、肩部２６５２が中央アパーチャ２６１４内で自由で回転できないようにするものである。即ち、肩部２６５２を窓ステーに対して回転させるために、調整部材２６００も窓ステーに対して回転する必要がある。肩部２６５２及び中央アパーチャ２６１４はいずれも、六角形等の多角形断面を有してよい。
【００８０】
ネック２６５４は、肩部２６５２から延在し、肩部２６５２より大幅に小さな直径を有する。ネック２６５４は、ねじ頭部（例えば六角レンチ用ねじ頭部）を形成する凹部を画定する。従って調整部材２６００は、六角レンチ等の好適な工具２７００を用いて回転させることができる。
【００８１】
ネック２６５４は、摺動式枠板２２００のセレクタアパーチャ２２０４に嵌合するよう、成形及びサイズ設定される。セレクタアパーチャ２２０４により、上記ねじ頭部へのアクセスが可能となる。
【００８２】
この嵌合は、ネック２６５４がセレクタアパーチャ２２０４内で自由に回転できないようにするものである。よって、ネック２６５４がセレクタ２６５０内にあるとき、ネック２６５４は窓ステーに対して回転できない。ネック２６５４及びセレクタアパーチャ２２０４はいずれも、六角形等の多角形断面を有してよい。上記多角形断面の辺の数は、調整の所望のインクリメントに基づいて調整してよい。辺の数が多いほど、微細な調整を可能とすることができる。
【００８３】
図１５は、ロックモードの窓ステーを示し、ここではネック２６５４はセレクタアパーチャ２２０４内にある。これはセレクタ２６５０のロック位置である。ネック２６５４とセレクタアパーチャ２２０４との間の嵌合により、セレクタ２６５０は、窓ステーに対して回転できない。そしてこれにより、肩部２６５２と中央アパーチャ２６１４との間の滑り嵌めによって、調整部材２６００の回転が防止される。
【００８４】
図１６は、調整モードの窓ステーを示し、ここではネック２６５４はセレクタアパーチャ２２０４の下方にある。これはセレクタ２６５０の調整位置である。ネック２６５４は、完全に中央アパーチャ２６１４内にあってよい。中央アパーチャ２６１４はネック２６５４より大幅に大きいため、ネック２６５４の回転が防止される。よってユーザはセレクタ２６５０を回転させることができる。これは調整部材２６００の回転へと変換され、これにより、固定枠板２１００に対する摺動式枠板２２００の横方向移動が引き起こされる。
【００８５】
セレクタ２６５０は、ばね２６５６等の付勢手段によって、ロック位置に向かって付勢される。ばね２６５６は、ネック２６５４がセレクタアパーチャ２２０４内となるように、セレクタ２６５０を付勢する。セレクタ２６５０を調整位置へと移動させるために、ユーザは、ばね２６５６の付勢に耐えるための力をセレクタ２６５０に印加する必要がある。この力を解放すると、ばね２６５６がセレクタ２６５０を、ロック位置へと戻るように移動させる。
【００８６】
このようにして、セレクタ２６５０を押し下げる工具をユーザが用いることによって、固定枠板２１００及び摺動式枠板２２００の相対位置を調整できる。続いてセレクタ２６５０は調整位置に入る。ユーザがセレクタ２６５０を回転させることにより、調整部材２６００の回転が引き起こされる。調整部材２６００の回転は、スロット２１０８を横断する、ポスト２６０８の横方向運動に変換される。そしてこれにより、固定枠板２１００と摺動式枠板２２００との間の相対長手方向移動が引き起こされる。
【００８７】
使用
図１７は、第１の状態の、第３の実施形態の窓ステーを示す。この第１の状態では、ポスト２６０８は、スロット２１０８内の第１の位置にある。
【００８８】
図１８は、第２の状態の、第３の実施形態の窓ステーを示す。窓ステーは、ユーザがセレクタ２６５０を回転押圧して調整位置へと移動させることにより、またセレクタ２６５０を時計回り方向に回転させることにより、第１の状態から第２の状態へと移動する。これにより、調整部材２６００が反時計回りに回転し、これによってポスト２６０８がスロット２１０８内で横方向に移動する。そしてこれにより、摺動式枠板２２００が固定枠板２１００に対して移動する。
【００８９】
図１９は、第３の状態の、第３の実施形態の窓ステーを示す。窓ステーは、ユーザがセレクタ２６５０を回転押圧して調整位置へと移動させることにより、またセレクタ２６５０を反時計回り方向に回転させることにより、第１の状態から第３の状態へと移動する。これにより、調整部材２６００が時計回りに回転し、これによってポスト２６０８がスロット２１０８内で横方向に移動する。そしてこれにより、摺動式枠板２２００が固定枠板２１００に対して移動する。
【００９０】
セレクタ２６５０は、第２の状態又は第３の状態から、ロック位置に戻るように移動させることができる。これは、ユーザがセレクタ２６５０に対する圧力を解放することによって実施できる。続いてばね２６５６はセレクタ２６５０をロック位置へと動かし、このロック位置では、セレクタ２６５０のネック２６５４はセレクタアパーチャ２２０４内に係合する。これは、セレクタ２６５０、及びこれに伴って調整部材２６００の、更なる回転を妨げ、従って固定枠板２１００及び摺動式枠板２２００の相対位置をロックする。
【００９１】
これにより、摺動式枠板２２００及び固定枠板２１００の、従って窓枠と窓サッシとの間の、相対位置の微調整が可能となる。
【００９２】
第４の実施形態
図２０、２１は、第４の実施形態による窓ステーを示す。
【００９３】
第４の実施形態の窓ステーは、窓枠に取り付けられた固定枠板３１００と、上記固定枠板と連結した摺動式枠板３２００とを有する。固定枠板３１００及び摺動式枠板３２００はそれぞれ、図１、２に示されている窓ステーの固定枠板１００及び摺動式枠板２００に取って代わることができる。
【００９４】
固定枠板３１００は、チャネル３１０４を画定するロールエッジ３１０２を有する。摺動式枠板３２００のリップ３２０２は、チャネル３１０４に嵌合する。摺動式枠板３２００のリップ３２０２と固定枠板３１００のチャネル３１０４との間の嵌合は、リップ３２００が過度の抵抗なしにチャネル３１０４に沿って摺動できるように、十分な公差を有してよい。
【００９５】
ねじチャンバ３３００は、固定枠板３１００に設置される。この設置は、固定枠板３１００から延在し、かつねじチャンバ３３００を保持するよう構成されたアパーチャ３１０８を有する、１つ以上のフィン３１０６からなる。ねじチャンバ３３００は、固定枠板３１００に比較的強固に連結できる。ねじチャンバ３３００は、ねじ３２１０と噛合するための内部ねじ山を有する。ねじチャンバ３３００とねじ３２１０との間の嵌合は、ねじチャンバ３３００内のねじ３２１０を回転させるために、ある閾値レベルのトルクが必要となるように構成できる。これにより、ユーザの介入なしに、ねじ３２１０がねじチャンバ３３００内で回転するのを防止できる。
【００９６】
摺動式枠板３２００はキャビティ３２０４を有し、これは、摺動式枠板３２００の外側面から突出する外壁によって画定される。キャビティ３２０４は、摺動式枠板３２００と固定枠板３１００とが連結されているときに、１つ以上のフィン３１０６及びねじチャンバ３３００を収容するよう、サイズ設定される。
【００９７】
アパーチャ３２０６は、摺動式枠板３２００に、キャビティ３２０４内に向かって設けられる。アパーチャ３２０６は、ねじ３２１０を通過させることができるようにサイズ設定される。アパーチャ３２０６に隣接して設けられたブッシュ３２０８は、上記ねじを、摺動式枠板３２００に閉じ込められた状態に保持する。ブッシュ３２０８はねじを、摺動式枠板３２００に対して所定の位置に保持できる。
【００９８】
使用時、アパーチャ３２０６及びブッシュ３２０８は、ねじチャンバ３３００と整列される。ねじは、上記ねじのシャフトがねじチャンバ３３００と係合するように、アパーチャ３２０６内に位置できる。ユーザは、六角レンチ等の適切な工具を用いて、ねじ３２１０を作動させることができる。ねじ３２１０を、時計回り等の第１の角度方向に回転させることにより、ねじ３２１０は更にねじチャンバ３３００内へと移動する。これは、ブッシュ３２０８と摺動式枠板３２００との間の連結、及びねじチャンバ３３００と固定枠板３１００との間の連結により、摺動式枠板３２００を、固定枠板３１００に対して、第１の直線方向に（即ち軸Ｅに沿って）移動させる。反対に、ねじ３２１０を、反時計回り等の第２の角度方向に作動させると、ねじ３２１０はねじチャンバ３３００から出るように移動する。これにより、摺動式枠板３２００は、固定枠板３１００に対して、反対方向の第２の直線方向に（軸Ｅに沿って）移動する。
【００９９】
使用
図２２は、第１の状態の、第４の実施形態の窓ステーを示す。この第１の状態では、ねじ３２１０は、ねじチャンバ３３００内において第１の位置にある。
【０１００】
図２３は、第２の状態の、第４の実施形態の窓ステーを示す。この第２の状態では、ねじ３２１０は、ねじチャンバ３３００内において、より深い第２の位置にある。窓ステーは、ユーザが好適な工具を用いてねじ３２１０を時計回り方向に回転させることにより、第１の状態から第２の状態へと移動する。これにより、ねじ３２１０のシャフトは更にねじチャンバ３３００に入る。そしてこれにより、摺動式枠板３２００は固定枠板３１００に対して移動する。
【０１０１】
図２４は、第３の状態の、第４の実施形態の窓ステーを示す。この第３の状態では、ねじ３２１０は、ねじチャンバ３３００内において、より浅い第３の位置にある。窓ステーは、ユーザが好適な工具を用いてねじ３２１０を反時計回り方向に回転させることにより、第１の状態から第３の状態へと移動する。これにより、ねじ３２１０のシャフトはねじチャンバ３３００から部分的に引き抜かれる。そしてこれにより、摺動式枠板３２００は固定枠板３１００に対して移動する。
【０１０２】
これにより、摺動式枠板３２００及び固定枠板３１００の、従って窓枠と窓サッシとの間の、相対位置の微調整が可能となる。
【０１０３】
解釈
本発明について、本発明の実施形態の説明によって本発明を例示し、またこれらの実施形態を詳細に説明したが、これは、添付の請求項の範囲を上記詳細へと制限する、又はいずれの意味でも限定するものと解釈してはならない。当業者には、更なる利点及び修正が容易に明らかになるだろう。従って本発明は、そのより広い態様において、ここで図示及び説明されている特定の詳細、代表的な装置及び方法、並びに例示的な実施例に限定されない。従って、一般発明概念の精神又は範囲から逸脱しない限りにおいて、上述の詳細から逸脱してもよい。
【０１０４】
特に、文脈によって不可能とされている場合を除いて、異なる複数の実施形態からの特徴を組み合わせてもよいことを理解されたい。即ち、様々な特徴が異なる複数の実施形態において説明及び図示されているが、これは単に簡潔さを目的としたものであり、明示的に説明又は図示されたこれらの特徴の組み合わせのみへの限定として解釈してはならない。
【０１０５】
用語「備える（ｃｏｍｐｒｉｓｅ、ｃｏｍｐｒｉｓｅｓ、ｃｏｍｐｒｉｓｉｎｇ）」は、様々な管轄の下で、排他的な意味にも包括的な意味にも解釈され得ることが知られている。本明細書の目的のために、これらの用語は特記しない限り包括的な意味を有し、即ちこれらの用語は、その使用が直接言及されている列挙された構成部品を含み、かつ場合によってはその他の明記されていない構成部品又は要素も含むことを意味するものと解釈される。
【符号の説明】
【０１０６】
１００      固定枠板
１１０      チャネル
１１２      リップ
１１４      支持表面
２００      摺動式枠板
２０２      チャネル
２１０      横方向部分
２１８      チャネル
４００      ショートアーム
５００      ロングアーム
６００      調整部材
６０６      凹部
６０８      ポスト
６５０      セレクタ
６５２      ピン
６５６      ばね
１１００    固定枠板
１２００    摺動式枠板
１２０４    アパーチャ
１６００    調整部材
１６０６    凹部
１６０８    ポスト
１６１２    ねじ頭部
１６５０    セレクタ
１６５２    ピン
１６６４    デテント
２１００    固定枠板
２２００    摺動式枠板
２２０４    セレクタアパーチャ
２６００    調整部材
２６０８    ポスト
２６１４    中央アパーチャ
２６５０    セレクタ
２６５４    ネック
３１００    固定枠板
３１０４    チャネル
３１０６    フィン
３１０８    アパーチャ
３２００    摺動式枠板
３２０２    リップ
３２１０    ねじ
３３００    ねじチャンバ
【図１】
2020070716.tif 000003
【図２】
2020070716.tif 000004
【図３】
2020070716.tif 000005
【図４Ａ】
2020070716.tif 000006
【図４Ｂ】
2020070716.tif 000007
【図５Ａ】
2020070716.tif 000008
【図５Ｂ】
2020070716.tif 000009
【図６Ａ】
2020070716.tif 000010
【図６Ｂ】
2020070716.tif 000011
【図７Ａ】
2020070716.tif 000012
【図７Ｂ】
2020070716.tif 000013
【図８Ａ】
2020070716.tif 000014
【図８Ｂ】
2020070716.tif 000015
【図９Ａ】
2020070716.tif 000016
【図９Ｂ】
2020070716.tif 000017
【図１０】
2020070716.tif 000018
【図１１】
2020070716.tif 000019
【図１２】
2020070716.tif 000020
【図１３】
2020070716.tif 000021
【図１４】
2020070716.tif 000022
【図１５】
2020070716.tif 000023
【図１６】
2020070716.tif 000024
【図１７】
2020070716.tif 000025
【図１８】
2020070716.tif 000026
【図１９】
2020070716.tif 000027
【図２０】
2020070716.tif 000028
【図２１】
2020070716.tif 000029
【図２２】
2020070716.tif 000030
【図２３】
2020070716.tif 000031
【図２４】
2020070716.tif 000032
【外国語明細書】
2020070716000001.pdf